(57)【要約】      （修正有）【課題】線香の取出時における手への灰の付着を防止すると共に線香を持ち運ぶ際の携帯性の向上を図る線香容器を提供する。【解決手段】一方に開口２ｂを有する収容体２と、収容体の底部５との間に空間Ｓ１を形成する状態で収容体の内部に配置されると共に点火された線香が横倒しの状態で載置され燃焼した線香８の灰Ａを下部空間Ｓ１に落下させる落下孔を有する載置台４と、収容体に支持される把手３とを備えた。これにより、線香の取出時における手への灰の付着を防止することができると共に線香を持ち運ぶ際の携帯性の向上を図ることができる。【選択図】図２
0003185136.tif 000002
【実用新案登録請求の範囲】
【請求項１】
一方に開口を有する収容体と、
前記収容体の底部との間に空間を形成する状態で前記収容体の内部に配置されると共に点火された線香が横倒しの状態で載置され燃焼した線香の灰を前記空間に落下させる落下孔を有する載置台と、
前記収容体に支持される把手とを備えた
線香用容器。
【請求項２】
前記把手が前記収容体に回動可能に支持された
請求項１に記載の線香用容器。
【請求項３】
前記収容体の前記開口の一部を覆うカバーが設けられた
請求項１又は請求項２に記載の線香用容器。
【請求項４】
前記カバーが前記収容体に回動可能に支持された
請求項３に記載の線香用容器。
【請求項５】
前記収容体が前記底部から前記開口に近付くに従って外側に広がる形状に形成された
請求項１、請求項２，請求項３又は請求項４に記載の線香用容器。
【考案の詳細な説明】
【技術分野】
【０００１】
本考案は、点火された線香を持ち運ぶ際に使用する線香用容器についての技術分野に関する。
【先行技術文献】
【特許文献】
【０００２】
【特許文献１】実用新案登録第３１３７３２４号公報
【背景技術】
【０００３】
点火された線香を持ち運ぶ場合に、線香を持っている本人あるいは他人に線香の燃焼部分が接触して火傷を引き起こす危険がある。そのため、このような危険を回避するためには、点火された線香を線香用容器に入れて持ち運ぶことが望ましい。
【０００４】
このような線香用容器には、点火された線香を不燃性の素材により形成された筒状の容器に収納して持ち運ぶことができるように構成されたものがある（例えば、特許文献１参照）。
【０００５】
特許文献１に記載された線香用容器にあっては、点火された線香が蓋をした容器に収納されて持ち運ばれるため、線香を持っている本人あるいは他人に燃焼部分が接触する危険が回避されており、灰を辺りにまき散らす可能性も少ない。
【考案の概要】
【考案が解決しようとする課題】
【０００６】
ところが、特許文献１に記載された線香用容器にあっては、燃焼中の線香が収納される空間と灰が収納される空間が区分けされていないため、灰が落下して線香の不燃部分に付着し、線香を取り出す際に、手に灰が付着して汚れるおそれがある。また、線香を持ち運ぶ際には線香用容器本体を把持するため、携帯性が悪いという問題があった。
【０００７】
そこで、本考案線香用容器は、上記した問題点を克服し、線香の取出時における手への灰の付着を防止すると共に線香を持ち運ぶ際の携帯性の向上を図ることを目的とする。
【課題を解決するための手段】
【０００８】
第１に、本考案に係る線香用容器は、一方に開口を有する収容体と、前記収容体の底部との間に空間を形成する状態で前記収容体の内部に配置されると共に点火された線香が横倒しの状態で載置され燃焼した線香の灰を前記空間に落下させる落下孔を有する載置台と、前記収容体に支持される把手とを備えたものである。
【０００９】
これにより、燃焼した線香の灰が載置台上に残らず、線香用容器を持ち運ぶ際には把手が把持される。
【００１０】
第２に、上記した本考案に係る線香用容器においては、前記把手が前記収容体に回動可能に支持されることが望ましい。
【００１１】
これにより、把手が収容体に対して回動されることにより、把手の収容体に対する位置が変化される。
【００１２】
第３に、上記した本考案に係る線香用容器においては、前記収容体の前記開口の一部を覆うカバーが設けられることが望ましい。
【００１３】
これにより、線香が配置される空間の少なくとも一部がカバーにより覆われる。
【００１４】
第４に、上記した本考案に係る線香用容器においては、前記カバーが前記収容体に回動可能に支持されることが望ましい。
【００１５】
これにより、カバーが回動されて収容体の開口が開閉される。
【００１６】
第５に、上記した本考案に係る線香用容器においては、前記収容体が前記底部から前記開口に近付くに従って外側に広がる形状に形成されることが望ましい。
【００１７】
これにより、収容体は開口側に対して底部側が狭まった形状となっている。
【考案の効果】
【００１８】
本考案によれば、燃焼した線香の灰が載置台上に残らず、線香用容器を持ち運ぶ際には把手が把持されるため、線香の取出時における手への灰の付着を防止することができると共に線香を持ち運ぶ際の携帯性の向上を図ることができる。
【図面の簡単な説明】
【００１９】
【図１】図２及び図３と共に本考案線香用容器の第１の実施の形態を示すものであり、本図は、線香用容器を線香とともに示す分解斜視図である。
【図２】線香とともに示す線香用容器の断面図である。
【図３】複数の線香用容器が重ねられた状態を示す斜視図である。
【図４】第２の実施の形態に係る線香用容器の斜視図である。
【図５】第３の実施の形態に係る線香用容器の斜視図である。
【図６】第４の実施の形態に係る線香用容器の分解斜視図である。
【図７】線香とともに示す第５の実施の形態に係る線香用容器の断面図である。
【考案を実施するための形態】
【００２０】
以下に、本考案線香用容器を実施するための形態について添付図面を参照して説明する。
【００２１】
先ず、第１の実施の形態に係る線香用容器１について説明する（図１乃至図３参照）。線香用容器１は、それぞれ金属等の不燃性材料により形成された収容体２と把手３と載置台４を備えている（図１参照）。
【００２２】
収容体２は上方に開口された箱状に形成されている。収容体２は底部５と一対の第１側面部６、６と一対の第２側面部７、７により構成されている。底部５は上下方向から見てほぼ長方形形状に形成されている。なお、以下の説明にあっては、底部５の長手方向を前後方向とし、短手方向を左右方向とする。
【００２３】
第１側面部６、６は底部５の左右両端部から略上方へ突出され、上方へ行くに従って互いに離隔するように形成されている。第２側面部７、７は底部５の前後両端部から略上方へ突出され、上方へ行くに従って互いに離隔するように形成されている。従って、収容体２の内部の空間２ａは上方へ行くに従って面積が大きくなるように形成されている。
【００２４】
把手３はコ字状に形成され、左右方向に延びる把手部３ａと把手部３ａの長手方向における両端部から直交する同じ方向へそれぞれ突出された一対の支持部３ｂ、３ｂとから成る。把手３は支持部３ｂ、３ｂの先端部がそれぞれ収容体２の上端部の前後方向における中央部に回動自在に支持されている。支持部３ｂの長さは収容体２の上端部の前後方向における長さの略半分より稍長くされ、把手部３ａは収容体２の左右方向における長さとほぼ同じ長さに形成されている。
【００２５】
支持部３ｂ、３ｂの先端部はそれぞれフリクションを有する状態で第１側面部６、６の外面側に連結されている。支持部３ｂと第１側面部６の間にフリクションを生じさせる構造としては、例えば、支持部３ｂが第１側面部６から脱落しないように止め金等によって支持部３ｂを第１側面部６に連結し、ゴムやバネ等を支持部３ｂと第１側面部６の間に配置する構造が用いられる。このように支持部３ｂと第１側面部６の間にフリクションを生じさせることにより、把手３を収容体２に対して任意の回動位置に保持することが可能である。
【００２６】
載置台４は載置部４ａと複数の突出部４ｂ、４ｂ、・・・とにより構成されている。載置部４ａは外形が底部５より一回り小さい長方形形状に形成された網目状の部材であり、複数の落下孔４ｃ、４ｃ、・・・を有している。突出部４ｂ、４ｂ、・・・はそれぞれ載置部４ａの外周部から下方に突出されている。尚、載置台４は載置部４ａが網目状に形成されていなくてもよく、落下孔が形成されていれば任意の形状にすることが可能である。
【００２７】
上記のように構成された線香用容器１において、載置台４は収容体２の空間２ａに開口２ｂから挿入され底部５の上面に配置される。載置台４が底部５に配置された状態においては、突出部４ｂ、４ｂ、・・・の下面が底部５に接触し、載置部４ａと底部５の間に下部空間Ｓ１が形成される（図２参照）。また、空間２ａにおける下部空間Ｓ１の上側は上部空間Ｓ２として形成され、上部空間Ｓ２には点火された線香８が挿入されて載置台４の載置部４ａに載置される。線香８が燃焼することにより生じた灰Ａは載置部４ａに形成された落下孔４ｃ、４ｃ、・・・を介して底部５に落下する。このため、下部空間Ｓ１は落下した灰Ａを収容する空間として機能する。
【００２８】
このように、燃焼中の線香８が箱状の収容体２に収容されるため、風の影響により燃焼中の線香８の火が消えることを防止することができる。また、燃焼中の線香８が収容体２に収容されることにより、線香８が線香用容器１から落下することを防止することができる。さらに、燃焼中の線香８が収容される上部空間Ｓ２は灰Ａが収容される下部空間Ｓ１と区分けされていることから、線香８を収容体２から取り出す際に灰Ａの手への付着を防止することができる。
【００２９】
また、線香８を持ち運ぶ際には把手３を収容体２に対して起立させた状態で把持することができ、線香用容器１を把持している最中に落下する危険性が少なく、線香用容器１の携帯性を向上させることができる。
【００３０】
さらに、収容体２は上方へ行くに従って広がる形状に形成されているため、上下に線香用容器１、１、・・・を重ねることができる（図３参照）。従って、線香用容器１、１、・・・を重ねることにより複数の線香用容器１、１、・・・を少ないスペースで保管することができる。
【００３１】
また、線香用容器１、１、・・・が互いに重なった状態においては上側の線香用容器１と下側の線香用容器１との間に空間が存在しており、この空間に載置台４を収納した状態で線香用容器１、１、・・・を重ねることができる。従って、載置台４を収容体２と分離することなく保管することができ、載置台４の紛失を防止することができると共に線香８の収容時にその都度収容体２に載置台４を挿入する必要がなく線香８の収容体２への収容作業を迅速に行うことができる。なお、把手３を収容体２に対して倒れた状態にして把手３を収容体２の開口２ｂから退避させることにより、線香用容器１、１、・・・を重ねる作業を支障なく行うことができる。
【００３２】
次に、第２の実施の形態乃至第５の実施の形態に係る線香用容器１Ａ、１Ｂ、１Ｃ、１Ｄについて説明する（図４乃至図７参照）。
【００３３】
第２の実施の形態に係る線香用容器１Ａは線香用容器１と比較して、収容体に開口の一部を覆うカバーが支持されている点が異なっている（図４参照）。
【００３４】
収容体２の長手方向における一端部にはカバー９が回動自在に支持され、カバー９は、例えば、不燃性材料により長方形形状に形成されている。カバー９は、ヒンジ金具等の連結部１０、１０を介して収容体２に回動自在に支持されている。カバー９の長さは、例えば、収容体２の上端部の前後方向における長さの略半分とされ、カバー９の幅は収容体２の左右方向における長さとほぼ同じに形成されている。
【００３５】
上記のように構成された線香用容器１Ａにおいては、開口２ｂの一部を覆うカバー９が設けられているため、カバー９によって燃焼中の線香８が保護され、風が強い状態であっても燃焼中の線香８の火を消え難くすることができる。また、カバー９が燃焼中の線香８を覆うようにすることができるため、線香８の煙の拡散を抑制して煙の手などへの付着を低減することができ、また、使用者が誤って燃焼中の線香８に触れて火傷することを防止することができる。
【００３６】
なお、カバー９は開口２ｂの少なくとも一部を覆えばよく、カバー９の大きさは任意である。また、上記には、カバー９が収容体２の長手方向（前後）における一端部に回動自在に支持された例を示したが、例えば、カバー９は収容体２の左右方向における一端部に回動自在に支持されてもよい。さらに、上記には、カバー９が収容体２に回動自在に支持される例を示したが、例えば、カバー９は収容体２と分離可能なタイプであってもよい。
【００３７】
次に、第３の実施の形態に係る線香用容器１Ｂについて説明する（図５参照）。第３の実施の形態に係る線香用容器１Ｂは線香用容器１と比較して、収容体にトレイがスライド自在に支持され、トレイが通過する挿通孔が収容体に形成されている点及び載置台における一部の突出部の長さが短い点が異なっている。
【００３８】
収容体２にはトレイ１１がスライド自在に支持されている。トレイ１１は上方に開口された浅い箱状に形成され、収容体２の下部空間Ｓ１に位置される。トレイ１１は不燃性材料により形成され、突出部４ｂ、４ｂ、・・・の内側において底部５のほぼ全面を覆う大きさにされている。トレイ１１の一端面には把手部１１ａが設けられている。燃焼中の線香８が載置台４に載置された状態でトレイ１１が下部空間Ｓ１に配置されている場合には、灰Ａがトレイ１１に落下して溜まるようにされている。
【００３９】
収容体２の一方の第１側面部６の下端部又は一方の第２側面部７の下端部には挿通孔１２が形成されており、挿通孔１２はトレイ１１の通過を許容するような横長の矩形状に形成されている。
【００４０】
載置台４の挿通孔１２側には突出部４ｂ、４ｂ、・・・が設けられていない。このため、載置台４が底部５に配置された場合にはトレイ１１は突出部４ｂ、４ｂ、・・・により妨げられることなく把手部１１ａが把持されて収容体２から引き出される。
【００４１】
上記のように構成された線香用容器１Ｂにおいては、灰Ａが収容体２の底部５ではなくトレイ１１に溜まるようにされている。従って、トレイ１１を収容体２から引き出すことにより線香８の灰Ａを容易に処分することができる。
【００４２】
次に、第４の実施の形態に係る線香用容器１Ｃについて説明する（図６参照）。第４の実施の形態に係る線香用容器１Ｃは線香用容器１と比較して、載置台を支持する支持部が収容体側に設けられている点が異なっている。
【００４３】
収容体２の底部５には支持部１３、１３、・・・が設けられている。支持部１３、１３、・・・は不燃性材料により形成されており、収容体２の底部５から上方へ突出され前後左右に離隔して配置されている。線香用容器１Ｃにおいては載置部４ａのみによって構成された載置台４Ｃが用いられる。載置台４Ｃが支持部１３、１３、・・・上に載置されると載置台４Ｃと底部５との間に下部空間Ｓ１が形成される。なお、載置台４Ｃと底部５との間に下部空間Ｓ１が形成されるような構成であれば、支持部１３、１３、・・・の個数、形状及び大きさは特に限定されるものではない。また、支持部１３は収容体２と一体に形成されていてもよく、別体で形成され収容体２に取り付けられていてもよい。
【００４４】
上記のように構成された線香用容器１Ｃにおいては、載置台４Ｃを支持する支持部１３、１３、・・・が収容体２側に設けられている。そのため、簡単な構成の載置台４Ｃにより底部５との間に下部空間Ｓ１を形成することができる。
【００４５】
また、載置台４Ｃの外形状を底部５より大きく収容体２の開口２ｂより小さくすることにより、載置台４Ｃは外周部が収容体２の内周面に接して底部５の上方に位置される。従って、支持部１３、１３、・・・が設けられない構成であっても、載置台４Ｃと底部５との間に下部空間Ｓ１を形成することができる。
【００４６】
次に、第５の実施の形態に係る線香用容器１Ｄについて説明する（図７参照）。第５の実施の形態に係る線香用容器１Ｄは線香用容器１と比較して、収容体の下端部に排出孔が形成され、排出孔を開閉する蓋部材が設けられている点が異なっている。
【００４７】
収容体２の下端部には横長の形状の排出孔１４が形成され、排出孔１４は一方の第１側面部６の下端部又は一方の第２側面部７の下端部に形成されている。
【００４８】
収容体２には蓋部材１５が着脱可能とされている。蓋部材１５は排出孔１４とほぼ同じ形状及び大きさを有する略直方体形状に形成されており、例えば、ゴムにより形成されることで排出孔１４に挿入されている状態において排出孔１４を密閉する。
【００４９】
蓋部材１５の一端面には把手部１５ａが設けられており、蓋部材１５は把手部１５ａが把持されて排出孔１４から引き出される。蓋部材１５が排出孔１４から引き出されると排出孔１４が開放される。従って、排出孔１４を通して下部空間Ｓ１に溜まった灰Ａを収容体２の外部へ排出することができる。
【００５０】
上記のように構成された線香用容器１Ｄにおいては、収容体２に形成された排出孔１４を介して灰Ａが外部へ排出される。そのため、簡単な構成で底部５に溜まった灰Ａを線香用容器１Ｄの外部に排出することができる。
【符号の説明】
【００５１】
１…線香用容器、１Ａ…線香用容器、１Ｂ…線香用容器、１Ｃ…線香用容器、１Ｄ…線香用容器、２…収容体、２ｂ…開口、３…把手、４…載置台、４Ｃ…載置台、５…底部、Ｓ１…下部空間、４ｃ…落下孔、８…線香、９…カバー、Ａ…灰
【図１】
0003185136.tif 000003
【図２】
0003185136.tif 000004
【図３】
0003185136.tif 000005
【図４】
0003185136.tif 000006
【図５】
0003185136.tif 000007
【図６】
0003185136.tif 000008
【図７】
0003185136.tif 000009